(57)【要約】【課題】より高い送信効率を有するＨＳＤＰＡ接続を提供する方法および対応する装置を提供すること。【解決手段】本発明は、無線通信ネットワークに関し、および通信装置が互いに通信するときにその送信電力を選択する方法に関する。より詳細には、本発明は、ＵＭＴＳ規格に基づく無線通信ネットワーク内の第１の通信装置の送信電力を制御する方法に関し、第１の通信装置は第２の通信装置へのＨＳＤＰＡ通信を確立し、それによって、第１の送信時間間隔ｔｔｉ１内のＨＳＤＰＡ送信電力とその次の第２の送信時間間隔ｔｔｉ２内のＨＳＤＰＡ送信電力との差の絶対値が、予め決められた値ｖより小さいように選択される。さらに、本発明は、前述の方法を実施することができるノードＢ、および上記ノードＢに関連する電力制御手段に関する。【選択図】図２
2006311537.tif 000002
【特許請求の範囲】
【請求項１】
ＵＭＴＳ規格に基づく無線通信ネットワーク内の第１の通信装置の送信電力を制御する方法であって、第１の通信装置が第２の通信装置への接続を確立し、それによって、第１の送信時間間隔でのＨＳＤＰＡ送信電力とその次の第２の送信時間間隔でのＨＳＤＰＡ送信電力との差の絶対値が、予め決められた値より小さいように選択される方法。
【請求項２】
第２の送信時間間隔は第１の送信時間間隔の次に続く請求項１に記載の方法。
【請求項３】
予め決められた値の大きさは動的に制御される請求項１に記載の方法。
【請求項４】
予め決められた値は現在のＨＳＤＰＡ接続の測定された値の助力によって決定される請求項１に記載の方法。
【請求項５】
第１の通信装置の有するデータバッファのデータがなくなりかけていて、ついにユーザデータが存在しなくなる場合、利用可能なデータが全て送信されるのと同時に送信電力が漸減する請求項１に記載の方法。
【請求項６】
第１の通信装置の有するデータバッファのデータがなくなりかけていて、ついにユーザデータが存在しなくなる場合、
ａ）データが全て送信されてしまうまで送信電力が一定に保持されるステップと、
ｂ）次いで、送信電力が漸減される間ダミー情報が送信されるステップと、
ｃ）次いで、送信電力が予め定義された最小値に達したときダミー情報の送信が中止されるステップと
が実行される請求項１に記載の方法。
【請求項７】
第１の通信装置の有するデータバッファのデータがなくなりかけていて、ついにユーザデータが存在しなくなる場合、
a）データを送りながら送信電力を漸減させ、
ｂ）送信電力が予め定義された最小値に達するまでダミー情報を送信する
請求項１に記載の方法。
【請求項８】
第１の通信装置が送信電力の増大を求める要求をした場合、次のｔｔｉのために許容された最大送信電力が増大される請求項１に記載の方法。
【請求項９】
第１の通信装置が低減された送信電力を求める要求も、増大された送信電力を求める要求もしない場合、次のｔｔｉのために許容された最大送信電力が一定に保持される請求項１に記載の方法。
【請求項１０】
方法が少なくとも一部はコンピュータプログラムによって実行される請求項１に記載の方法。
【請求項１１】
第１の通信装置がノードＢであり、第２の通信装置がユーザ装置である請求項１に記載の方法。
【請求項１２】
ユーザ装置とＨＳＤＰＡ通信中にＨＳＤＰＡ送信電力を制御する送信電力制御装置を有するＵＭＴＳ規格に基づく無線通信ネットワークのためのノードＢであって、送信電力制御装置が、予め決められた値より小さい、第１の送信時間間隔のＨＳＤＰＡ送信電力と次の第２の送信時間間隔のＨＳＤＰＡ送信電力との差を設定するように構成されたノードＢ。
【請求項１３】
送信電力制御装置が予め決められた値を計算する計算エンティティ（８）を含む請求項１２に記載のノードＢ。
【請求項１４】
自身のデータバッファのデータがなくなりつつあるときにダミー情報を送信するように構成された請求項１２に記載のノードＢ。
【請求項１５】
ＵＭＴＳ規格に基づく無線通信ネットワーク内のノードＢのＨＳＤＰＡ送信電力を制御する送信電力制御装置であって、予め決められた値より小さい、第１の送信時間間隔でのＨＳＤＰＡ送信電力と次の第２の送信時間間隔でのＨＳＤＰＡ送信電力との差を設定するように構成された送信電力制御装置。
【請求項１６】
自身のデータバッファが漸次空にされるときにダミー情報を送信するように構成された請求項１５に記載の送信電力制御装置。
【請求項１７】
請求項１５に記載の送信電力制御装置を含む無線通信ネットワークのノードＢのためのスケジューラ。
【発明の詳細な説明】
【技術分野】
【０００１】
本発明は、参照により本明細書に組み込まれている欧州特許優先権出願第０５２９０９２８．０号の優先権に基づく。
【０００２】
本発明は、無線通信ネットワークに関し、およびノードＢとも呼ばれるＵＭＴＳネットワーク内の基地局が、ノードＢからユーザ装置（ＵＥ）への通信に使用される送信電力を選択する方法に関する。
【背景技術】
【０００３】
ユニバーサル移動体通信システム（ＵＭＴＳ）は、よく知られている移動電話技術であり、第３世代移動体通信システムの標準化プロジェクト（３ＧＰＰ）によって標準化されている。これは、移動装置がマスマーケットにとって魅力的であると考えられるスピードでＷｏｒｌｄ  Ｗｉｄｅ  Ｗｅｂにアクセスすることができる転送速度を提供する。
【０００４】
ＵＭＴＳターミナル地上無線接続網（ＵＴＲＡＮ）は、無線ネットワーク制御装置（ＲＮＣ）とノードＢで構成され、無線セルのカバレッジを提供する。ＵＴＲＡＮでは、全ての通信装置が最小の送信電力で動作し、同時に必要な信号品質を維持することが必要である。その目的のために、高速電力制御（Ｆａｓｔ  Ｐｏｗｅｒ  Ｃｏｎｔｒｏｌ）と呼ばれる方式が使用される。既存の接続では、各時間間隔（一般に１スロット）ごとに次の時間間隔で送信電力を調整するための制御情報がデータに付加されるクローズドループが実現される。
【０００５】
ＨＳＤＰＡ（高速ダウンリンクパケットアクセス）は、ＵＭＴＳシステムにおけるダウンリンクのためにより速い転送速度を提供するように設計された移動電話通信プロトコルである。送信電力を常時調整する代わりに、とりわけ変調方式、コード体系、および送信電力がリアルタイムで調整されるＡＭＣ方式が使用される。その目的のために、ユーザ装置（ＵＥ）が信号品質を測定し、チャネル品質表示報告（ＣＱＩ）をノードＢとも呼ばれる基地局に送信する。ＨＳＤＰＡでは、ノードＢはユーザ装置への送信の送信電力の制御を引き受ける。
【発明の開示】
【発明が解決しようとする課題】
【０００６】
本発明の一目的は、より高い送信効率を有するＨＳＤＰＡ接続を提供する方法および対応する装置を提供することである。
【課題を解決するための手段】
【０００７】
この目的および他の諸目的は、それぞれ独立請求項に記載の特徴によって解決される。本発明の他の実施形態は、従属請求項に記載の特徴によって説明される。請求項内のいかなる参照符号も本発明の範囲を限定すると解釈されるものではないことが強調されるべきである。
【０００８】
本発明の発明者は、ＣＱＩ報告は必ずしも信頼できるとは限らないことに気がついた。ＣＱＩ報告は、所与の時間におけるＨＳＤＰＡ接続の品質を反映し、将来の別の所与の時間のＨＳＤＰＡ接続を調整するのに役立つ。これら２つの時間の間の時間間隔において、ＨＳＤＰＡ接続の特性が変化してしまう可能性がある。ところが、そのような変化は、予期し所望したよりも高いブロックエラーレートにつながる可能性がある。
【０００９】
上記の非信頼性の一因は、特に見通し外接続状態が存在するマルチパス信号の場合は、信号同士の干渉であることが判明している。この干渉要因は、ＨＳＤＰＡ規格では第１のｔｔｉ（送信時間間隔）とその次のｔｔｉの間の送信電力を任意選択で変更できるということによって、切断される。しかし、送信電力の大きな変化は上記の干渉要因を増大する可能性がある。
【００１０】
したがって、本発明は、送信電力の変化の大きさを制限することを提案する。Ｐ１を第１送信時間間隔ｔｔｉ１内の第１通信装置の送信電力とし、Ｐ２を第２およびその次の送信時間間隔ｔｔｉ２内の同じ通信装置の送信電力とする。その場合、これら２つの送信電力間の差の絶対値は、予め決められた値ｖより小さくなるように制限される。すなわち、｜Ｐ１−Ｐ２｜＜ｖ。もちろん、これは比率Ｐ１／Ｐ２を一定の値に制限することに等しい。
【００１１】
本発明は、第２通信装置へのＨＳＤＰＡ接続を確立した第１通信装置の送信電力を制御するように設計される。第１通信装置は、ノードＢでよい。この場合、第２通信装置は、ユーザ装置、たとえば移動電話またはラップトップでよい。ＨＳＤＰＡ接続が確立された場合、ノードＢはユーザ装置と通信し、ノードＢはこの通信が行われる方法を決定する。
【００１２】
上記で提案された手法は干渉程度の変化を低減する。これは、結局ＣＱＩ報告の信頼性を向上させ、ノードＢとユーザ装置の間の全ての通信のブロックエラーレートを改善する。このことは、それ自身の無線セルにも他の無線セルにも当てはまる。
【００１３】
本発明の他の利点は、標準ＤＣＨ接続によって得られる利点である。標準ＤＣＨ接続とＨＳＤＰＡ接続は共存するので、ＵＭＴＳノードＢはこれら２つのタイプの接続を同時に提供するということに留意しなければならない。従来の技術では、自然発生のＨＳＤＰＡ送信が生じた場合、ＤＣＨ装置の信号対雑音比（ＳＮＲ）が減少した。その結果として、ＤＣＨ送信の電力は、上記高速電力制御方式のために増大する。これは、電力水準をさらに増大し、ＨＳＤＰＡ送信によって生じた干渉を増大した。これらのＨＳＤＰＡ送信の終了後、上記高速電力制御方式によってその送信が制御されるＤＣＨサービスのＳＮＲがあまりに高すぎた。前述の通り、本発明は、干渉の影響を低減し、こうした場合の標準ＤＨＣ接続のＳＮＲも改善する。
【００１４】
本発明は、前のＨＳＤＰＡ送信電力が全然ないかあるいは少ししかないときにＨＳＤＰＡ送信が開始される特定の場合には、別の肯定的な効果を達成する。一例として、ＨＳＤＰＡ接続の初期設定の前のＨＳＤＰＡ送信電力は、０であってよい。この状態では、ＵＥは、ＣＱＩ値１４に相当する良い信号品質を測定する。ＨＳＤＰＡ送信の開始後、測定された信号品質は著しく低下し、ＣＱＩ値５に達する可能性がある。ユーザデータの送信は、ＣＱＩ＝１４、すなわち良い品質という仮定の下で設定されたので、結果として変調方式およびコード体系の強靭さが低下して、受信は実際にはＣＱＩ＝５という悪い条件下で行われる。この結果として信号の歪みが大きくなり、したがって予想以上にブロックエラーレートが高くなる。
【００１５】
一方、ＣＱＩ値の測定は、近隣のノードＢの自然発生的な送信によって生じた高い干渉状態中に行われたが、実際の送信が低い干渉下、たとえば近隣のノードＢがその送信を中止したときに行われる場合は、選択された変調方式およびコード体系は、所望のＢＬＥＲ目標に対してはあまりに強靭すぎ、したがって他の全ての通信に必要である以上の干渉を引き起こす。
【００１６】
これは、無線チャネルの測定と実際の送信の間の遅れのために、０％から１００％の間で電力水準が変化する可能性と相俟って、送信のＢＬＥＲはほとんど予測できないことを意味する。この影響は、特に見通し外接続位置にあるユーザ装置の送信に関して存在する。これらの場合、ブロックエラーレートの不変性および予測性は、本発明によってかなり改善される。
【００１７】
ＨＳＤＰＡにおける送信電力の変化の大きさの制限は、いくつかの方法で行われることができる。一般には、２つの連続するｔｔｉの差Ｐ１−Ｐ２の絶対値を制限するだけで十分である。ただし、前述の利点が連続的に達成されるように、ｔｔｉ１およびｔｔｉ２と名づけられた２つのｔｔｉは互いに続いていることが好ましい。
【００１８】
従来の技術では、ＨＳＤＰＡ用送信電力は、２つのｔｔｉの間で、技術的に可能な限り０％から１００％の間で変化することが容認されていた。本発明によれば、この変化は、技術的に可能な限りの最大電力の決められた大きさにまで、あるいは決められた割合にまで低減されることができる。これらの場合には、予め決められた値ｖは定数である。しかし、この予め決められた値ｖを変化可能なように動的に調整することが好ましい。この利点は、変化可能な予め決められた値ｖによって、チャネル品質に対する電力の違いの影響が動的に適応されることができることである。１つの可能な実施方法としては、ｖを前の電力Ｐ１の決められた割合、たとえば１０％に等しいように設定することである。その場合、１つのｔｔｉから次のｔｔｉへの変化Ｐ１−Ｐ２は、前のｔｔｉ用に大きな絶対電力Ｐ１が決められていた場合は、大きい可能性がある。前のｔｔｉにおける電力水準Ｐ１が低い場合は、次のｔｔｉのための電力水準の絶対変化、すなわちＰ１−Ｐ２も小さい。この結果、高い絶対電力水準に対しては急激な電力低下となり、低い絶対電力水準に対してはなだらかな低下となる。
【００１９】
予め決められた値の動的調整では、現在の送信特性を考慮した現在のＨＳＤＰＡ接続のいくつかの値、Ｍ１、Ｍ２、Ｍ３・・・Ｍｎが測定される。測定された値を使用して予め決められた値ｖが動的に計算される。これは、第１通信装置、特にノードＢにあるコンピュータプログラムによって、少なくとも一部分は行われる。従来の技術では普通であるように、このコンピュータプログラムは、ＣＤやＤＶＤなどコンピュータ読取り可能媒体上に格納されていてよい。あるいは、インターネットなどのネットワークを経由してプログラムコードを運ぶ電気信号の形で転送されてもよい。
【００２０】
本発明の好ましい一実施形態では、第１通信装置、たとえばノードＢは、そのデータバッファのデータ量が減少しつつあるときは、すなわちデータがなくなりつつあるときは、ダミー情報を送信するように構成される。この減少は、特にＴＴＩ−ｔｏ−ＴＴＩベースで連続的に決定されることが好ましい。これを実行できる１つの手段は
ａ）全てのデータが送信されてしまうまで送信電力を一定に保持し、
ｂ）送信電力が漸減されている間ダミー情報を送信し、
ｃ）送信電力が予め決められた最小値に達したときダミー情報の送信を中止することである。
【００２１】
これを実行できるもう１つの手段は、
ａ）送信電力を漸減しながら利用可能なデータを全て送信し、
ｂ）送信電力が最小値に達するまで送信電力を依然として低減しながら、データバッファが空になった後でダミー情報を送信し、その後で
ｃ）ダミー情報の送信を中止することである。
【００２２】
本発明のこれらおよび他の諸態様は、以下に説明される実施形態から明らかになり、かつそれらの実施形態を参照しながら明らかにされる。参照符号の使用は本発明の範囲を限定するものとして解釈されないことに留意されたい。
【発明を実施するための最良の形態】
【００２３】
図１は従来技術によるＵＭＴＳネットワークを示す。ネットワーク２は移動電話などでよいユーザ装置１、４および７を含む。ノードＢはこれらのユーザ装置とＨＳＤＰＡ接続を介して通信する。一例として、ノードＢ５はユーザ装置１とのＨＳＤＰＡ接続３を確立している。
【００２４】
図２は、本発明によるノードＢ５を示す。ノードＢ５は、１つのユーザ装置にＨＳＤＰＡ接続されているときにアンテナ９を駆動する電力増幅器１１を備えている。電力増幅器によって生成された無線周波数信号は、電力増幅器１１からケーブル１０を介してアンテナ９に流れる。無線周波数信号の電力はスケジューラ１２によって制御される。スケジューラ１２の動作は送信電力制御装置６からのコマンドによって管理される。この電力制御装置６のロジックは計算エンティティ８である。送信電力制御装置６は図２に示されたスケジューラ１２と協働する外部構成要素でもよく、あるいはスケジューラ１２の内部構成要素でもよいことを当業者は容易に推論するであろう。
【００２５】
図３は電力制御装置６とスケジューラ１２がどのように協働するかを示す。スケジューラ１２は入力パラメータＳ１、Ｓ２・・・ＳＮを受け取る。従来技術では普通であるように、スケジューラは以下のパラメータＳ１・・・ＳＮの値を受け取る。
ｍａｘ＿ＨＳＤＰＡ＿ｐｏｗｅｒ：ノードＢがＨＳＤＰＡ接続用に提供できる最大電力
ｍａｘ＿ＤＣＨ＿ｐｏｗｅｒ：ノードＢがＤＣＨ接続用に提供できる最大電力
ｍａｘ＿ｏｖｅｒａｌｌ＿ｐｏｗｅｒ：ノードＢが提供できる最大全電力
【００２６】
本発明によれば、スケジューラ１２は、追加入力データ、すなわち、次のｔｔｉに許容された最大送信電力であるパラメータの値ＨＳＤＰＡ＿ｐｏｗｅｒ＿ｒｅｓｔｒｉｃｔｉｏｎ＿ｆｏｒ＿ｎｅｘｔ＿ｔｔｉを受け取る。このようにして、次のｔｔｉ用ＨＳＤＰＡ電力は、一般に最大ＨＳＤＰＡ電力より小さい値に制限される。一般に、ＨＳＤＰＡ＿ｐｏｗｅｒ＿ｒｅｓｔｒｉｃｔｉｏｎ＿ｆｏｒ＿ｎｅｘｔ＿ｔｔｉ＝Ｍｉｎ（ｍａｘ＿ＨＳＤＰＡ＿ｐｏｗｅｒ、ＨＳＤＰＡ＿ｐｏｗｅｒ＿ｒｅｓｔｒｉｃｔｉｏｎ＿ｖａｌｕｅ）である。
【００２７】
アルゴリズムは、ＨＳＤＰＡ＿ｐｏｗｅｒ＿ｒｅｓｔｒｉｃｔｉｏｎ＿ｆｏｒ＿ｎｅｘｔ＿ｔｔｉがうまく定義されるように、ＨＳＤＰＡ＿ｐｏｗｅｒ＿ｒｅｓｔｒｉｃｔｉｏｎ＿ｖａｌｕｅの適当な初期値で始まる。以下に説明されるように、パラメータＨＳＤＰＡ＿ｐｏｗｅｒ＿ｒｅｓｔｒｉｃｔｉｏｎ＿ｖａｌｕｅは、ＨＳＤＰＡ＿ｐｏｗｅｒ＿ｒｅｓｔｒｉｃｔｉｏｎ＿ｆｏｒ＿ｎｅｘｔ＿ｔｔｉが連続して調整されるように、通信特性に基づいて連続して計算される。
【００２８】
スケジューラ１２は、次のｔｔｉの送信電力用のパラメータＨＳＤＰＡ＿ｐｏｗｅｒ＿ｒｅｓｔｒｉｃｔｉｏｎ＿ｆｏｒ＿ｎｅｘｔ＿ｔｔｉの値を使用する。このパラメータは最大許容値を定義するものなので、実際の次のｔｔｉ用送信電力はそれより小さくてよい。ＨＳＤＰＡ＿ｐｏｗｅｒ＿ｏｆ＿ｃｕｒｒｅｎｔ＿ｔｔｉと呼ばれる実際の送信電力の値は適当な手段によって測定される。ＨＳＤＰＡ＿ｐｏｗｅｒ＿ｏｆ＿ｃｕｒｒｅｎｔ＿ｔｔｉは、以下に説明されるように、次のｔｔｉ用のＨＳＤＰＡ＿ｐｏｗｅｒ＿ｒｅｓｔｒｉｃｔｉｏｎ＿ｆｏｒ＿ｎｅｘｔ＿ｔｔｉの値を計算するために計算エンティティ８によって実行されるアルゴリズムの入力データとして使用される。
【００２９】
最初に、計算エンティティ８は、次のｔｔｉの送信電力が
ａ）前のｔｔｉの送信電力より小さいかどうか、
ｂ）前のｔｔｉの送信電力より大きいかどうか、
ｃ）前のｔｔｉの送信電力と同じかどうか
判定しなければならない。
【００３０】
したがって、スケジューラは、ランプダウンフェーズａ）、ランプアップフェーズｂ）、または定常フェーズｃ）で動作する。
【００３１】
パラメータＢＦＳはビット単位のバッファ蓄積状況を意味すると仮定した場合、ＢＦＳはノードＢのデータバッファ内のビット数を表す。ビット／ｔｔｉ単位のパラメータｐｒｅｄｉｃｔｅｄ＿ｍｅａｎ＿ｔｈｒｏｕｇｈｐｕｔ＿ｐｅｒ＿ｔｔｉは、平均スループットが過去のいくつかのｔｔｉにおいてと同じであるという想定の基に、予測された平均スループットを意味すると仮定する。
この場合、比率
ｍａｘ＿ｎｕｍｂｅｒ＿ｏｆ＿ｄａｔａ＿ｔｔｉ＝ＢＦＳ／ｐｒｅｄｉｃｔｅｄ＿ｍｅａｎ＿ｔｈｒｏｕｇｈｐｕｔ＿ｐｅｒ＿ｔｔｉ
は、前述の予測された平均スループットに基づくバッファ内にそのデータが存在するｔｔｉの最大数を表す。
【００３２】
パラメータｍａｘｉｍｕｍ＿ｄｏｗｎ＿ｄｅｌｔａ＿ＨＳＤＰＡ＿ｐｏｗｅｒ＿ｐｅｒ＿ｔｔｉは、送信電力がｒａｍｐ＿ｄｏｗｎフェーズで低減されることができるワット／ｔｔｉ単位での最大速度を意味すると仮定する。通常、このパラメータはノードＢのオペレータによって与えられる定数である。
その場合、パラメータ
ｍａｘｉｍｕｍ＿ｎｕｍｂｅｒ＿ｏｆ＿ｐｏｗｅｒ＿ｔｔｉ＝ＨＳＤＰＡ＿ｐｏｗｅｒ＿ｒｅｓｔｒｉｃｔｉｏｎ＿ｆｏｒ＿ｎｅｘｔ＿ｔｔｉ／
ｍａｘｉｍｕｍ＿ｄｏｗｎ＿ｄｅｌｔａ＿ＨＳＤＰＡ＿ｐｏｗｅｒ＿ｐｅｒ＿ｔｔｉ
は、ｍａｘｉｍｕｍ＿ｄｏｗｎ＿ｄｅｌｔａ＿ＨＳＤＰＡ＿ｐｏｗｅｒ＿ｐｅｒ＿ｔｔｉによって表される送信電力の前述の漸減に基づくｒａｍｐ＿ｄｏｗｎフェーズの最小持続時間（ｔｔｉ単位）を定義する。
【００３３】
ノードＢは、ｒａｍｐ＿ｄｏｗｎ条件
ｍａｘｉｍｕｍ＿ｎｕｍｂｅｒ＿ｏｆ＿ｐｏｗｅｒ＿ｔｔｉ＞＝ｍａｘ＿ｎｕｍｂｅｒ＿ｏｆ＿ｄａｔａ＿ｔｔｉ
が真であれば、ｒａｍｐ＿ｄｏｗｎフェーズで動作する。これは、送信電力を低減するのに必要とされる時間が、データバッファ内にそのデータが存在している時間より大きい場合である。この後に続く説明では、これは、データバッファのデータがなくなりかけていて、ついにユーザデータが存在しなくなる状況と呼ばれる。あるいは、送信電力の低減を求める要求をする状況と呼ばれてもよい。
【００３４】
ノードＢは、以下の条件が満たされるときには、ｒａｍｐ＿ｕｐフェーズｂ）で動作しなければならない。
ｉ）ｒａｍｐ＿ｄｏｗｎフェーズが真でなく、かつ（ＡＮＤ）
ｉｉ）ＨＳＤＰＡ＿ｐｏｗｅｒ＿ｏｆ＿ｃｕｒｒｅｎｔ＿ｔｔｉ＞＝（ＨＳＤＰＡ＿ｐｏｗｅｒ＿ｒｅｓｔｒｉｃｔｉｏｎ＿ｖａｌｕｅ−ＨＳＤＰＡ＿ｐｏｗｅｒ＿ｔｏｌｅｒａｎｃｅ）
【００３５】
条件ｉｉ）は、現在のｔｔｉのための予測されたＨＳＤＰＡ送信電力であるＨＳＤＰＡ＿ｐｏｗｅｒ＿ｏｆ＿ｃｕｒｒｅｎｔ＿ｔｔｉの値が、ＨＳＤＰＡ＿ｐｏｗｅｒ＿ｒｅｓｔｒｉｃｔｉｏｎ＿ｖａｌｕｅからＨＳＤＰＡ＿ｐｏｗｅｒ＿ｔｏｌｅｒａｎｃｅを引いた値より大きいか同じ場合に満たされる。パラメータＨＳＤＰＡ＿ｐｏｗｅｒ＿ｔｏｌｅｒａｎｃｅは、オペレータによって決められた定数値で、現在の電力がＨＳＤＰＡ＿ｐｏｗｅｒ＿ｒｅｓｔｒｉｃｔｉｏｎ＿ｖａｌｕｅに完全に達しなくても電力増大を可能にする手段として働く。したがって、ノードＢは、送信電力を低減するために必要な時間がデータバッファにそのデータが存在している時間より短い場合は、ｒａｍｐ＿ｕｐフェーズで動作する。この場合、ノードＢは送信電力の増大を求める要求をする。
【００３６】
ノードＢは、ノードＢがｒａｍｐ＿ｕｐフェーズでもｒａｍｐ＿ｄｏｗｎフェーズでも動作しない場合は、前述の定常フェーズｃ）で動作する。この場合、ＨＳＤＰＡ＿ｐｏｗｅｒ＿ｏｆ＿ｃｕｒｒｅｎｔ＿ｔｔｉは一定のままである。
【００３７】
全てのフェーズで、ＨＳＤＰＡ＿ｐｏｗｅｒ＿ｒｅｓｔｒｉｃｔｉｏｎ＿ｖａｌｕｅはｍａｘ＿ＨＳＤＰＡ＿ｐｏｗｅｒより小さいかまたは同じである。
【００３８】
計算エンティティ８は、動作モードすなわち前述のフェーズａ）からｃ）を判定した後で、次のｔｔｉのためのパラメータＨＳＤＰＡ＿ｐｏｗｅｒ＿ｒｅｓｔｒｉｃｔｉｏｎ＿ｖａｌｕｅ値を計算する。
【００３９】
スケジューラがｒａｍｐ＿ｄｏｗｎフェーズａ）で動作する場合、スケジューラは送信電力を漸減する方法として３つの代替方法を有する。
【００４０】
第１の代替方法では、パラメータＨＳＤＰＡ＿ｐｏｗｅｒ＿ｒｅｓｔｒｉｃｔｉｏｎ＿ｖａｌｕｅの値は、全てのデータが送信されてしまうまで低減される。この場合、データバッファが空になるまで送信電力の漸減が行われる。この場合、送信電力は０の値まで低下する。しかし、従来技術と比較して、この低下は前述の漸減が適用される場合はそれほど明白ではない。さらに他の利点は、送信電力が送信終了時にゼロに設定されるので、送信電力が最小に保持されることである。言い換えれば、送信電力は、ユーザデータの送信のためにしか使用されない。
【００４１】
第２の代替方法では、ＨＳＤＰＡ送信電力は、データバッファがＢＦＳ＝０になるようにデータがなくなるまで一定に保持される。したがって、パラメータＨＳＤＰＡ＿ｐｏｗｅｒ＿ｒｅｓｔｒｉｃｔｉｏｎ＿ｖａｌｕｅの値も一定に保持される。その場合、ダミー情報は、常に送信電力を各ｔｔｉごとに１つの定数値だけ減らしながら送信される。この定数値は、ｍａｘｉｍｕｍ＿ｒａｍｐ＿ｄｏｗｎ＿ＨＳＤＰＡ＿ｐｏｗｅｒと定義され、オペレータによって決められる。これは、最小ＨＳＤＰＡ制限電力が達せられるまで行われる。ＨＳＤＰＡ制限電力は、オペレータによって予め決められる定数値ｍｉｎｉｍｕｍ＿ＨＳＤＰＡ＿ｒｅｓｔｒｉｃｔｉｏｎ＿ｐｏｗｅｒと定義される。ＨＳＤＰＡ＿ｐｏｗｅｒ＿ｒｅｓｔｒｉｃｔｉｏｎ＿ｖａｌｕｅ＝ｍｉｎｉｍｕｍ＿ＨＳＤＰＡ＿ｒｅｓｔｒｉｃｔｉｏｎ＿ｐｏｗｅｒの場合、ダミー情報の送信は中止される。第２の代替方法は、（ノードＢの）データバッファの最後のデータの低減されたデータレートはそれほど低減されないという利点を提供する。これは、送信電力が低減されるので、データは低減されたデータレートで送信されるからである。さらに、ダミー情報を送信することによって、データバッファが空になっても、送信電力の急激な落ち込みは回避される。
【００４２】
第３の代替方法は、前述の第１および第２の代替方法の組合せである。したがって、パラメータＨＳＤＰＡ＿ｐｏｗｅｒ＿ｒｅｓｔｒｉｃｔｉｏｎ＿ｖａｌｕｅの値は、全てのデータが送信されてしまうまで低減される。第１の代替方法参照。同時に、かつＨＳＤＰＡ＿ｐｏｗｅｒ＿ｒｅｓｔｒｉｃｔｉｏｎ＿ｖａｌｕｅ＞ｍｉｎｉｍｕｍ＿ＨＳＤＰＡ＿ｒｅｓｔｒｉｃｔｉｏｎ＿ｐｏｗｅｒである間、送信電力は、パラメータＨＳＤＰＡ＿ｐｏｗｅｒ＿ｏｆ＿ｃｕｒｒｅｎｔ＿ｔｔｉの値を低減することによって漸減される。各ｔｔｉごとの送信電力の低減量は、パラメータｍａｘｉｍｕｍ＿ｒａｍｐ＿ｄｏｗｎ＿ＨＳＤＰＡ＿ｐｏｗｅｒの値によって表される。これはオペレータによって定義された定数値である。ダミー情報は、ＨＳＤＰＡ＿ｐｏｗｅｒ＿ｒｅｓｔｒｉｃｔｉｏｎ＿ｖａｌｕｅ＝ｍｉｎｉｍｕｍ＿ＨＳＤＰＡ＿ｒｅｓｔｒｉｃｔｉｏｎ＿ｐｏｗｅｒになるまで送信される。その後、送信は中止される。この手法は、ユーザデータが依然として十分なデータレートで送信されるので、ノードＢのデータバッファの最後のデータの送信遅延の増大が制限されるという利点を提供する。送信電力の減少は、ダミー情報の送信の減少と同時に起こるだけである。これは、送信電力の低減は、ダミー情報のデータレートの低減につながるだけであることを意味する。
【００４３】
前述の代替方法の適切な選択は、サービスのＱｏＳ（サービスの品質）要件によって決まる。たとえば、第１の代替方法は、ファイルのダウンロードに適しており、送信電力が最小に保持されるので干渉の影響を最小限に抑える。第２の代替方法は、データレートがより一定であるので、特にビデオまたはムービーの転送に適している。一定のデータレートは、ある種のビデオフレームが視覚的印象を歪める低減されたデータレートで受け取られるのを回避する。
【００４４】
スケジューラがｒａｍｐ＿ｕｐフェーズｂ）で動作する場合、スケジューラはｍａｘｉｍｕｍ＿ｒａｍｐ＿ｕｐ＿ＨＳＤＰＡ＿ｐｏｗｅｒによってパラメータＨＳＤＰＡ＿ｐｏｗｅｒ＿ｒｅｓｔｒｉｃｔｉｏｎ＿ｖａｌｕｅの値を増大する。定常フェーズｃ）では、パラメータＨＳＤＰＡ＿ｐｏｗｅｒ＿ｒｅｓｔｒｉｃｔｉｏｎ＿ｖａｌｕｅの値は変更されない。
【００４５】
上記の説明から推論され得るように、計算エンティティ８で実行されるアルゴリズムは以下の入力データを使用する。
Ｐ1＝ＨＳＤＰＡ＿ｐｏｗｅｒ＿ｔｏｌｅｒａｎｃｅ
Ｐ２＝ｍａｘｉｍｕｍ＿ｄｏｗｎ＿ｄｅｌｔａ＿ＨＳＤＰＡ＿ｐｏｗｅｒ＿ｐｅｒ＿ｔｔｉ
Ｐ３＝ｍａｘｉｍｕｍ＿ｒａｍｐ＿ｄｏｗｎ＿ＨＳＤＰＡ＿ｐｏｗｅｒ
Ｐ４＝ｍａｘｉｍｕｍ＿ｒａｍｐ＿ｕｐ＿ＨＳＤＰＡ＿ｐｏｗｅｒ
Ｐ５＝ｍｉｎｉｍｕｍ＿ＨＳＤＰＡ＿ｒｅｓｔｒｉｃｔｉｏｎ＿ｐｏｗｅｒ
Ｍ１＝ｂｕｆｆｅｒ  ｆｉｌｌｉｎｇ  ｓｔａｔｕｓ
Ｍ２＝ｐｒｅｄｉｃｔｅｄ＿ｍｅａｎ＿ｔｈｒｏｕｇｈｐｕｔ＿ｐｅｒ＿ｔｔｉ
Ｍ３＝ｍａｘ＿ＨＳＤＰＡ＿ｐｏｗｅｒ
【００４６】
Ｐ１・・・Ｐ５はオペレータによって定義される定数値であり、Ｍ１、Ｍ２およびＭ３は各ｔｔｉごとに絶えず測定される。このために、ノードＢは適当な測定手段を備えている。
【００４７】
以下において、本発明の実施結果を説明する２つのそれぞれ異なるシミュレーションシナリオが示される。
【００４８】
このシナリオは、決められた位置にある無線セル内の単一のＵＥだけで構成される。周囲のセルは、ノードＢとＵＥの間の無線リンクに対して一定水準の干渉を発生している。
【００４９】
ＵＥは各ｔｔｉでＣＱＩ報告を記録したが、それによって、第１の例では、ＵＥはノードＢによって各ｔｔｉごとにＨＳＤＰＡスケジュールされる。その結果、それ自身のセルおよび他のセルの（干渉）電力水準は、結局常に一定のＣＱＩ値６になる。この例では、スケジューラは、ブロックエラーレート（ＢＬＥＲ）を予め定義された動作値１５％に調整しようと試みた。このシミュレーションは、実際には、１７．８％のＢＬＥＲを生じた。
【００５０】
第２の場合では、ＵＥは３つ目のｔｔｉごとにスケジュールされるだけである。したがって、それ自身のセルの電力水準は、ＨＳＤＰＡデータの送信のために３つ目のｔｔｉごとに著しく変化し増大する。これらのＨＳＤＰＡ送信間のｔｔｉでは、電力水準は低水準で一定に保持された、すなわち、ＣＰＩＣＨ電力しかなかった。ＨＳＤＰＡ送信は一番新しいＣＱＩ報告に基づいていた。ユーザデータのＨＳＤＰＡ送信は、たとえばＣＱＩ＝１３、すなわち良い品質の仮定の下に設計されたので、その結果、変調方式およびコード体系の強靭さが低下し、実際の受信はＣＱＩ＝５の悪い状況下で行われた。このシミュレーションでは、これは、より歪みの多い信号になり、したがって所望の１０％より高いブロックエラーレート（ＢＬＥＲ）になった。このシミュレーションでは、測定されたＢＬＥＲ値は２８％であった。
【００５１】
第３のシミュレーションでは、本発明による方法を適用することによって、たとえば実際のデータ送信間のｔｔｉで、データ送信のために使用されたのとほぼ同じ電力水準でダミー情報が送られたので、第２の場合に見られたようなＣＱＩ報告の大きな変化は生じなかった。この場合のＣＱＩ報告は、第１の場合と同様で、したがって、ＣＱＩ値は常に一定であった。
【図面の簡単な説明】
【００５２】
【図１】従来技術によるＵＭＴＳネットワークを示す図である。
【図２】ノードＢを示す図である。
【図３】送信電力制御装置を示す図である。
【符号の説明】
【００５３】
１、４、７  ユーザ装置
２  ネットワーク
３  ＨＳＤＰＡ接続
５  ノードＢ
６  送信電力制御装置
８  計算エンティティ
９  アンテナ
１０  ケーブル
１１  電力増幅器
１２  スケジューラ
Ｍ１、Ｍ２、Ｍ３・・・Ｍｎ  現在のＨＳＤＰＡ接続の値
Ｐ１・・・Ｐ２  送信電力
Ｓ１、Ｓ２・・・ＳＮ  入力パラメータ
ｔｔｉ  送信時間間隔
ｔｔｉ１  第１送信時間間隔
ｔｔｉ２  第２およびその次の送信時間間隔
【図１】
2006311537.tif 000003
【図２】
2006311537.tif 000004
【図３】
2006311537.tif 000005
【外国語明細書】
2006311537.tif 000006
2006311537.tif 000007
2006311537.tif 000008
2006311537.tif 000009
2006311537.tif 000010
2006311537.tif 000011
2006311537.tif 000012
2006311537.tif 000013
2006311537.tif 000014
2006311537.tif 000015
2006311537.tif 000016
2006311537.tif 000017
2006311537.tif 000018
2006311537.tif 000019
2006311537.tif 000020
2006311537.tif 000021
2006311537.tif 000022
2006311537.tif 000023
2006311537.tif 000024
2006311537.tif 000025
2006311537.tif 000026